(57)【要約】【課題】適応症チェック時のエラー確認の煩雑さを緩和し、効率的な処理を実現する。【解決手段】薬剤データと、その適応症データとを関連付けて記憶する薬剤・適応症記憶手段３と、処方データに含まれる適応症データを抽出し、適応症チェック処理の結果、エラーが発生した適応症データを他の適応症データと識別可能に表示する病名表示手段７と、適応症チェック処理の結果、エラーが発生した薬剤データと、その適応症の一覧とを表示する適応症表示手段８と、病名表示手段７に表示される適応症データをドラッグし、適応症表示手段の該当する薬剤データにドロップすることにより、適応症データと薬剤データとを互いに関連付けて薬剤・適応症記憶手段３に記憶させる薬剤・適応症関連付け手段と、を備えた構成とする。【選択図】図１
2008226123.tif 000002
【特許請求の範囲】
【請求項１】
処方データに含まれる適応症データに対する薬剤データが、薬剤マスタに登録された、前記適応症データに関連付けた薬剤データに含まれているか否かの適応症チェック処理を実行するレセプトチェック装置であって、
薬剤データと、その適応症データとを関連付けて記憶する薬剤・適応症記憶手段と、
処方データに含まれる適応症データを抽出し、前記適応症チェック処理の結果、エラーが発生した適応症データを他の適応症データと識別可能に表示する病名表示手段と、
前記適応症チェック処理の結果、エラーが発生した薬剤データと、その適応症の一覧とを表示する適応症表示手段と、
前記病名表示手段に表示される適応症データをドラッグし、前記適応症表示手段の該当する薬剤データにドロップすることにより、前記適応症データと前記薬剤データとを互いに関連付けて前記薬剤・適応症記憶手段に記憶させる薬剤・適応症関連付け手段と、
を備えたことを特徴とするレセプトチェック装置。
【請求項２】
前記薬剤・適応症関連付け手段により薬剤・適応症記憶手段に適応症データが記憶された場合、前記病名表示手段に識別可能に表示された適応症データを通常表示モードとし、前記適応症表示手段にドラッグ・アンド・ドロップして適応症データを追加した薬剤データを非表示とする表示制御手段を、さらに備えたことを特徴とするレセプトチェック装置。
【請求項３】
前記病名表示手段は、各レセプト単位で適応症データを表示し、
前記病名表示手段に表示させた、あるレセプトの適応症データを、他のレセプトの適応症データに切り替えるレセプト切替手段を、さらに備え、
前記表示制御手段は、前記薬剤・適応症関連付け手段によって前記薬剤・適応症記憶手段に登録された後の適応症データに基づいて、前記レセプト切替手段によって切り替えられた他のレセプトの表示を行わせることを特徴とする請求項１又は２に記載のレセプトチェック装置。
【請求項４】
前記薬剤・適応症関連付け手段によって前記薬剤・適応症記憶手段に登録された後の適応症データ及び薬剤データに基づいて、全てのレセプトについて適応症チェック処理を実行するデータ更新手段を、さらに備えたことを特徴とする請求項１乃至３のいずれか１項に記載のレセプトチェック装置。
【請求項５】
前記薬剤・適応症関連付け手段は、前記適応症表示手段に表示される、薬剤データ又は該薬剤データと関連付けた適応症データをドラッグし、前記病名表示手段の表示領域にドロップすることにより、薬剤データと適応症データとを互いに関連付けて登録することを特徴とする請求項１乃至４のいずれか１項に記載のレセプトチェック装置。
【請求項６】
前記薬剤・適応症関連付け手段は、薬剤データと適応症データとを互いに関連付けて登録する場合、対象となる患者に特有のものとして登録することを特徴とする請求項５に記載のレセプトチェック装置。
【請求項７】
前記病名表示手段への表示を、前記適応症チェック処理の結果、エラーが発生した適応症データを他の適応症データと識別可能に表示するエラー内容表示部と、カルテ内容を表示するカルテ表示部とに切り替えるカルテ切替手段を、さらに備えたことを特徴とする請求項１乃至６のいずれか１項に記載のレセプトチェック装置。
【請求項８】
処方データに含まれる適応症データに対する薬剤データが、薬剤マスタに登録された、前記適応症データに関連付けた薬剤データに含まれているか否かの適応症チェック処理を実行するレセプトチェック方法であって、
処方データに含まれる適応症データを抽出し、前記適応症チェック処理の結果、エラーが発生した適応症データを他の適応症データと識別可能に表示する病名表示ステップと、
前記適応症チェック処理の結果、エラーが発生した薬剤データと、その適応症の一覧とを表示する適応症表示ステップと、
前記病名表示ステップで表示された適応症データをドラッグし、前記適応症表示ステップで表示された薬剤データのうち、該当する薬剤データにドロップすることにより、前記適応症データと前記薬剤データとを互いに関連付けて記憶させる薬剤・適応症関連付けステップと、
を含むことを特徴とするレセプトチェック方法。
【請求項９】
前記薬剤・適応症関連付けステップでは、適応症データが記憶された場合、前記病名表示ステップで識別可能に表示された適応症データを通常表示モードとし、前記適応症表示ステップでドラッグ・アンド・ドロップして適応症データを追加した薬剤データを非表示とする表示制御ステップを、さらに含むことを特徴とする請求項７に記載のレセプトチェック方法。
【請求項１０】
前記病名表示ステップでは、各レセプト単位で適応症データを表示し、
前記病名表示ステップで表示させた、あるレセプトの適応症データを、他のレセプトの適応症データに切り替えるレセプト切替ステップを、さらに含み、
前記表示制御ステップでは、前記薬剤・適応症関連付けステップで登録された後の適応症データ及び薬剤データに基づいて、前記レセプト切替ステップで切り替えられた他のレセプトの表示を行わせることを特徴とする請求項７又は８に記載のレセプトチェック方法。
【請求項１１】
前記薬剤・適応症関連付けステップで登録された後の適応症データに基づいて、全てのレセプトについて適応症チェック処理を実行するデータ更新ステップを、さらに含むことを特徴とする請求項８乃至１０のいずれか１項に記載のレセプトチェック方法。
【請求項１２】
前記薬剤・適応症関連付けステップでは、前記適応症表示ステップで表示された薬剤データ又は該薬剤データに関連付けた傷病名データをドラッグし、前記病名表示ステップで表示された領域にドロップすることにより、前記薬剤データと前記適応症データとを互いに関連付けて記憶させることを特徴とする請求項８乃至１１のいずれか１項に記載のレセプトチェック方法。
【請求項１３】
前記薬剤・適応症関連付けステップでは、薬剤データと適応症データとを互いに関連付けて登録する場合、対象となる患者に特有のものとして登録することを特徴とする請求項１２に記載のレセプトチェック方法。
【請求項１４】
前記病名表示ステップでの表示を、前記適応症チェック処理の結果、エラーが発生した適応症データを他の適応症データと識別可能に表示するエラー内容表示部と、カルテ内容を表示するカルテ表示部とに切り替えるカルテ切替ステップを、さらに含むことを特徴とする請求項８乃至１３のいずれか１項に記載のレセプトチェック方法。
【請求項１５】
請求項８乃至１４のうち、いずれか１項に記載の方法の各ステップを含むことを特徴とするプログラム。
【請求項１６】
請求項１５に記載のプログラムを記録したことを特徴とするコンピュータにより読取可能な記録媒体。
【発明の詳細な説明】
【技術分野】
【０００１】
本発明は、レセプトチェック装置、レセプトチェック方法、プログラム、及び、記録媒体に関するものである。
【背景技術】
【０００２】
従来、患者に処方された薬剤について、その適応病名が患者の診療データに登録されているか否かを検査し、適応病名が登録されていない場合、当該薬剤の適応病名と、患者の診療データに登録されている病名とを提示するようにした病名チェック方法が公知である（例えば、特許文献１参照）。
【０００３】
また、診療報酬明細書の病名をチェックする場合、適応病名が登録されていなければ、薬剤の適応病名を提示するようにした病名チェック方法が開示されている（例えば、特許文献２参照）。
【０００４】
【特許文献１】特許第３４６２７８８号公報
【特許文献２】特開２０００−３１１２０６号公報
【発明の開示】
【発明が解決しようとする課題】
【０００５】
しかしながら、前記いずれの方法であっても、処方された薬剤と病名とに基づいて適応症のチェックがなされるだけである。つまり、エラーが発生した全てのデータについて確認作業が必要となる。そして、同様な処方であっても、ユーザにとって煩雑な確認作業を繰り返し行わなければならない。
【０００６】
そこで、本発明は、適応症チェック時のエラー確認の煩雑さを緩和し、効率的な処理を実現できる、レセプトチェック装置、レセプトチェック方法、プログラム、及び、記録媒体を提供することを課題とする。
【課題を解決するための手段】
【０００７】
本発明は、前記課題を解決するための手段として、
処方データに含まれる適応症データに対する薬剤データが、薬剤マスタに登録された、前記適応症データに関連付けた薬剤データに含まれているか否かの適応症チェック処理を実行するレセプトチェック装置であって、
薬剤データと、その適応症データとを関連付けて記憶する薬剤・適応症記憶手段と、
処方データに含まれる適応症データを抽出し、前記適応症チェック処理の結果、エラーが発生した適応症データを他の適応症データと識別可能に表示する病名表示手段と、
前記適応症チェック処理の結果、エラーが発生した薬剤データと、その適応症の一覧とを表示する適応症表示手段と、
前記病名表示手段に表示される適応症データをドラッグし、前記適応症表示手段の該当する薬剤データにドロップすることにより、前記適応症データと前記薬剤データとを互いに関連付けて前記薬剤・適応症記憶手段に記憶させる薬剤・適応症関連付け手段と、
を備えたものである。
【０００８】
この構成により、ユーザは、病名表示手段に表示された、エラーのあった適応症データを容易にドラッグし、適応症表示手段に表示された、該当する薬剤データにドロップすることができる。これにより、画面を切り替える等の煩わしい作業を必要とすることなく、新たに薬剤データと適応症データとを関連付けて簡単に登録することができる。したがって、次回から同様な処方データが入力されたとしても、前述のようにエラーと判断されることがなく、効率的な適応症チェックを行うことが可能となる。
【０００９】
前記薬剤・適応症関連付け手段により薬剤・適応症記憶手段に適応症データが記憶された場合、前記病名表示手段に識別可能に表示された適応症データを通常表示モードとし、前記適応症表示手段にドラッグ・アンド・ドロップして適応症データを追加した薬剤データを非表示とする表示制御手段を、さらに備えるのが好ましい。
【００１０】
この構成により、新たに薬剤データと適応症データを関連付けて登録されたことが一目で分かり、安心して使用することができる。
【００１１】
前記病名表示手段は、各レセプト単位で適応症データを表示し、
前記病名表示手段に表示させた、あるレセプトの適応症データを、他のレセプトの適応症データに切り替えるレセプト切替手段を、さらに備え、
前記表示制御手段は、前記薬剤・適応症関連付け手段によって前記薬剤・適応症記憶手段に登録された後の適応症データに基づいて、前記レセプト切替手段によって切り替えられた他のレセプトの表示を行わせるのが好ましい。
【００１２】
この構成により、新たに薬剤データと適応症データを関連付けて登録する毎に、その後に処理するレセプトデータに同様なものがあれば、エラーとなることが回避される。これにより、入力作業が進めば進む程、適応症チェック処理の件数を本当に必要なものへと徐々に絞り込んで行くことが可能となる。
【００１３】
前記薬剤・適応症関連付け手段によって前記薬剤・適応症記憶手段に登録された後の適応症データ及び薬剤データに基づいて、全てのレセプトについて適応症チェック処理を実行するデータ更新手段を、さらに備えるのが好ましい。
【００１４】
この構成により、空き時間等に新たに登録が完了した適応症データ及び薬剤データに基づいて、全てのレセプトについてデータの更新を行うことができる。
【００１５】
前記薬剤・適応症関連付け手段は、前記適応症表示手段に表示される、薬剤データ又は該薬剤データと関連付けた適応症データをドラッグし、前記病名表示手段の表示領域にドロップすることにより、薬剤データと適応症データとを互いに関連付けて登録するのが好ましい。
【００１６】
この構成により、エラーが発生した適応症データからだけでなく、例えば、ある主薬を処方した適応症に対して佐薬（主薬の効能を補助し、又は、副作用を防止あるいは緩和する目的で添加される薬剤）を処方したい場合等であっても、容易に対処することが可能となる。
【００１７】
前記薬剤・適応症関連付け手段は、薬剤データと適応症データとを互いに関連付けて登録する場合、対象となる患者に特有のものとして登録するのがさらに好ましい。
【００１８】
この構成により、薬剤データと適応症データとの関連付けを、ある患者に個別の情報として登録することができる。例えば、適応症の分類が同じであっても、詳細には相違し、処方する薬剤が異なる場合、その患者に個別に情報を登録しておくことができ、次回からエラーの発生を防止して迅速な処理を行うことが可能となる。
【００１９】
前記病名表示手段への表示を、前記適応症チェック処理の結果、エラーが発生した適応症データを他の適応症データと識別可能に表示するエラー内容表示部と、カルテ内容を表示するカルテ表示部とに切り替えるカルテ切替手段を、さらに備えるのが好ましい。
【００２０】
また、本発明は、前記課題を解決するための手段として、
処方データに含まれる適応症データに対する薬剤データが、薬剤マスタに登録された、前記適応症データに関連付けた薬剤データに含まれているか否かの適応症チェック処理を実行するレセプトチェック方法であって、
処方データに含まれる適応症データを抽出し、前記適応症チェック処理の結果、エラーが発生した適応症データを他の適応症データと識別可能に表示する病名表示ステップと、
前記適応症チェック処理の結果、エラーが発生した薬剤データと、その適応症の一覧とを表示する適応症表示ステップと、
前記病名表示ステップで表示された適応症データをドラッグし、前記適応症表示ステップで表示された薬剤データのうち、該当する薬剤データにドロップすることにより、前記適応症データと前記薬剤データとを互いに関連付けて記憶させる薬剤・適応症関連付けステップと、
を含むようにしたものである。
【００２１】
前記薬剤・適応症関連付けステップでは、適応症データが記憶された場合、前記病名表示ステップで識別可能に表示された適応症データを通常表示モードとし、前記適応症表示ステップでドラッグ・アンド・ドロップして適応症データを追加した薬剤データを非表示とする表示制御ステップを、さらに含むようにするのが好ましい。
【００２２】
前記表示制御ステップでは、前記適応症表示ステップで追加表示させた適応症データを、他の適応症データと識別可能に表示させるのが好ましい。
【００２３】
前記病名表示ステップでは、各レセプト単位で適応症データを表示し、
前記病名表示ステップで表示させた、あるレセプトの適応症データを、他のレセプトの適応症データに切り替えるレセプト切替ステップを、さらに含み、
前記表示制御ステップでは、前記薬剤・適応症関連付けステップで登録された後の適応症データ及び薬剤データに基づいて、前記レセプト切替ステップで切り替えられた他のレセプトの表示を行わせるのが好ましい。
【００２４】
前記薬剤・適応症関連付けステップで登録された後の適応症データに基づいて、全てのレセプトについて適応症チェック処理を実行するデータ更新ステップを、さらに含むのが好ましい。
【００２５】
前記薬剤・適応症関連付けステップでは、前記適応症表示ステップで表示された薬剤データ又は該薬剤データに関連付けた傷病名データをドラッグし、前記病名表示ステップで表示された領域にドロップすることにより、前記薬剤データと前記適応症データとを互いに関連付けて記憶させるのが好ましい。
【００２６】
前記薬剤・適応症関連付けステップでは、薬剤データと適応症データとを互いに関連付けて登録する場合、対象となる患者に特有のものとして登録するのがさらに好ましい。
【００２７】
前記病名表示ステップでの表示を、前記適応症チェック処理の結果、エラーが発生した適応症データを他の適応症データと識別可能に表示するエラー内容表示部と、カルテ内容を表示するカルテ表示部とに切り替えるカルテ切替ステップを、さらに含むのが好ましい。
【００２８】
また、本発明は、前記課題を解決するための手段として、プログラムを、前記レセプトチェック方法の各ステップを含むものとしたものである。
【００２９】
また、本発明は、前記課題を解決するための手段として、記録媒体を、前記プログラムをコンピュータにより読取可能に記録したものである。
【発明の効果】
【００３０】
本発明によれば、病名表示手段と適応症表示手段とにより、エラー発生箇所を確認した上で、ドラッグ・アンド・ドロップという非常に簡単な方法により、次回からエラーが発生しないように、適応症データと薬剤データとの関連付け作業を行うことができる。したがって、適応症チェック時のエラー確認の煩雑さが回避され、適応症チェック処理を効率的に行うことが可能となる。
【発明を実施するための最良の形態】
【００３１】
以下、本発明に係る実施形態を添付図面に従って説明する。
【００３２】
図１は、本実施形態に係るレセプトチェック装置を示す。この装置は、液晶ディスプレイ等の表示装置１、キーボード・マウス等の入力装置２、ハードディスク等の記憶装置３、レセプトチェック装置の全体をプログラム制御する制御装置４を備える。これらの装置はパーソナルコンピュータで構成してもよい。なお、必要に応じて、レーザプリンタ等の印刷装置５、及び、ホストコンピュータ６（処方データ送信装置）が接続される。
【００３３】
表示装置１には、図４に示す初期画面や、図５に示す適応症チェック画面や、図６に示す病名管理画面等が表示される。病名管理画面は、病名表示部７（病名表示手段）と適応症表示部８（適応症表示手段）とで構成されている。
【００３４】
病名表示部７には、患者情報欄９、病名表示欄１０などが含まれる。患者情報欄９には、患者の氏名、性別、生年月日等が表示される。病名表示欄１０には、保険種別、病名番号（♯）、主病名（主病名であるか否か、主病名である場合「主」と表示）、病名、開始日、転記、転記日の各列で構成されている。
【００３５】
病名表示部７の下方側には、「病名追加」、「病名修正」、「病名削除」の各ボタン７ａ、７ｂ、７ｃがそれぞれ表示されている。「病名追加」ボタン７ａをクリック操作すると、別ウィンドウで病名表示欄１０の各列に項目を入力可能となる。「病名修正」ボタン７ｂをクリック操作すると、病名表示欄１０で選択した行の修正が可能となる。また、「病名削除」ボタン７ｃをクリック操作すると、選択した行が削除される。さらに、各ボタンの下方にはオプション設定部１１が表示されている。オプション設定部１１では、保険種別オプション（保険種別）の選択、病名コメントの入力、印字オプションの選択、主病／副病オプション（主病名又は副病名）の選択が行えるようになっている。
【００３６】
適応症表示部８には、タブキー１２（カルテ切替手段）の切り替えにより、エラー内容欄１３又はカルテ参照欄（図示せず）が表示される。エラー内容欄１３には、適応症チェックの結果を示すエラー情報が、処方された各薬剤単位で表示される。すなわち、適応症エラーである薬剤名と、その適応症（候補病名）の一覧とが表示される。カルテ参照欄には、診察時等に医師によって入力された、主観情報（Ｓ：Subjective Information）、客観情報（Ｏ：Objective Information）、評価情報（Ａ：Assessment Information）、及び計画情報（Ｐ：Plan Information）が表示される。主観情報（Ｓ）とは、患者が主観的に感じている症状に関するものであり、診察前に患者に記入してもらった問診票の内容を意味する。客観情報（Ｏ）とは、所見すなわち診察時に医師が認めた症状を意味する。評価情報（Ａ）とは、アセスメントすなわち症状に対する診断内容（主観的及び客観的情報に基づく医師の評価ないしは判断）を意味する。計画情報（Ｐ）とは、治療計画すなわち、診断計画、治療、患者への教育等の今後の治療計画を意味する。
【００３７】
入力装置２は、キーボード、マウス等のほか、表示装置１としてタッチパネルを使用する場合、このタッチパネルを含めるようにしてもよい。
【００３８】
記憶装置３には、薬剤マスタ１４、病名マスタ１５、医療行為マスタ１６、検索メニューマスタ１７などの各種マスタが記憶されている。薬剤マスタ１４には、薬剤（薬剤）に関するデータ、例えば、薬剤名、薬剤コード番号、薬効、適応症等が記憶されている。また、薬剤マスタ１４には、メインマスタ１４ａとサブマスタ１４ｂ（薬剤・適応症記憶手段）があり、メインマスタ１４ａは書換不能であるが、サブマスタ１４ｂには新規に登録、変更、削除等が自由に行える。ここでは、サブマスタ１４ｂに、ある薬剤に対して追加した適応症等を登録可能となっている。
【００３９】
制御装置４は、中央処理装置１９（ＣＰＵ）のほか、ＢＩＯＳ等のプログラムが記憶されるＲＯＭ２０、処理に必要なデータを一時的に記憶するためのＲＡＭ２１を備える。ＲＡＭ２１には、各種記憶領域がそれぞれ確保されている。ＣＰＵ１９は、処方データに基づいて後述するレセプトチェック処理を実行する。ここに、レセプト（診療報酬明細書）とは、医療費の請求明細、すなわち医療機関が保険者に医療費を請求する際の明細書であり、以下の説明では各患者単位で取り扱っている。
【００４０】
ホストコンピュータ６は、処方データを送信する機能を有する。ここでは、ホストコンピュータ６には、病院の処方オーダリングシステムなどが稼働する病院ホスト、薬局の調剤システム制御装置（コンピュータ内蔵）等のいずれかを使用できる。
【００４１】
次に、本実施形態の特徴部分であるレセプトチェック処理について、図２及び図３のフローチャートを参照しつつ説明する。
【００４２】
レセプトチェック処理では、まず、図４に示す初期画面からレセプトボタン２２をクリック操作することにより（ステップＳ１：ＹＥＳ）、図５に示す適応症チェック画面（対象者一覧表）を表示させる（ステップＳ２）。適応症チェック画面では、処方データの病名と、処方された薬剤に基づいて薬剤マスタに照会することにより得られる適応症とが一致しているか否かをチェックし、その結果一致していないものが他と区別されてエラー表示される（図５では色彩の違いまで分からないが、実際には、適応症チェックの結果、適応症の一致していないものが赤字で表示される。）。これにより、ユーザ（通常、医師）は、処方データに含まれる病名が、処方データで処方された薬剤の病名として登録されておらず、その薬剤の適応症としてどのようなものが登録されているのかを一目で把握することができる。
【００４３】
適応症チェック画面で、ユーザのクリック操作等により患者名が選択されると（ステップＳ３：ＹＥＳ）、選択された行が他の行と区別可能に背景色が変更される（ステップＳ４：図５でははっきりとは分からないが、選択行Ａの背景は水色となる。）。但し、表示形態は、選択行を他の行と区別可能なものであればよく、反転表示、ハイライト表示等、いずれの表示形態であってもよい。
【００４４】
そして、特定の患者が選択された状態で、病名管理ボタン２３が操作されると（ステップＳ５：ＹＥＳ）、図６に示す病名管理画面に切り替える（ステップＳ６）。
【００４５】
病名管理画面で、エラー内容を確認し、その結果、薬剤マスタに登録されていない適応症であっても、処方する薬剤が適切なものであると判断すれば、図７に示すように、病名表示欄１０に表示された病名のうち、該当する病名をドラッグし、エラー内容欄１３の該当する薬剤領域Ｂにドロップすることにより適応症の追加処理を行う（ステップＳ７：適応症登録ステップ）。
【００４６】
適応症追加処理では、病名表示欄１０に一覧表示される病名（適応症データ）のうち、該当するものがドラッグされると（ステップＳ７１：ＹＥＳ）、移動するマウスポインタと共に、選択された病名を表示させる（ステップＳ７２）。したがって、ユーザが追加しようとする適応症を確認しながら作業を行うことができる。また、移動先であるエラー内容欄１３に移動させると（ステップＳ７３：ＹＥＳ）、マウスポインタが位置する領域（名称と候補病名とで構成される薬剤領域Ｂ）の背景が他と識別可能に異なる色に変更される（ステップＳ７４）ここでは、背景をピンク色としている。）。そして、ドラッグした適応症データが、エラー内容欄１３の該当する薬剤領域にドロップされると（ステップＳ７５：ＹＥＳ）、その病名を薬剤マスタ（サブマスタ）に書き込む（ステップＳ７６）。これにより、エラー内容欄１３に表示されていた薬剤欄が消去され（ステップＳ７７）、病名表示欄１０でのエラー表示が解消される（ステップＳ７８：図６の例では、赤字が黒字に変更される。：表示制御ステップ）。
【００４７】
図９に、前記処理（ステップＳ７１〜Ｓ７８）でのデータ登録の例を示す。ここでは、レセプト病名テーブルに登録されている、病名Ａに処方した薬剤２について適応症チェックの結果、エラーが発生し、薬剤マスタ（サブマスタ）としての適応症カスタマイズテーブルに、薬剤マスタから抽出した、薬剤２の適応症（ここでは、病名コード）の一覧が表示されている。そして、前記処理でのドラッグ・アンド・ドロップにより、レセプト病名テーブルの病名Ａが適応症カスタマイズテーブルに登録される。
【００４８】
なお、適応症追加処理を実行する前に、タブキー１２を操作すれば、エラー内容欄１３をカルテ参照欄に切り替えることができる。したがって、カルテ内容をその場で参照し、エラーの原因を確認することが可能である。この場合、カルテ参照欄で、該当する薬剤名を赤字等、他と区別可能に表示すれば、より一層、エラー原因の確認作業を効率的に行うことが可能となる。
【００４９】
以下、同様にして、病名表示欄１０でエラーが発生している病名を順次確認し、必要なものについて、前記ステップＳ７で実行した薬剤マスタ（サブマスタ）への登録を行う。
【００５０】
そして、「次レセプト」ボタン２４ａがクリック操作されることにより（ステップＳ８：ＹＥＳ）、病名表示欄１０の表示が次の（患者の）レセプトに切り替わる（ステップＳ９：レセプト切替ステップ）。新たに表示させたレセプトでも、前記適応症追加処理を繰り返す。この場合、新たに表示させたレセプトで、それまで前記病名追加処理でエラー表示されていた内容が含まれている場合には、エラーではなく適切な処方であると判断され、エラー内容欄１３に表示されることはない。なお、前の患者のレセプトに切り替える場合には、「前レセプト」ボタン２４ｂをクリック操作すればよい。
【００５１】
また、「閉じる」ボタン２５が操作されることにより（ステップＳ１０：ＹＥＳ）、病名管理画面を閉じ（ステップＳ１１）、適応症チェック処理を終了する。このとき、病名が追加された薬剤について、全てのレセプトデータについてデータの更新を行う（ステップＳ１２：データ更新ステップ）。そして、画面表示をレセプト印刷画面に切り替える（ステップＳ１３）。なお、このデータ更新を前記適応症追加処理で行わないのは、薬剤マスタ１４のデータ容量が大きい場合、処理時間がかかることを考慮してのことであり、データが追加される毎にデータ更新を行うことも可能である。
【００５２】
このように、前記適応症追加処理を実行することにより、従来同様の適応症チェック処理ではエラーであると報知されていた内容を、適正なものとなるように登録し直すことができる。したがって、次回の適応症チェック処理からエラー発生数を抑えることができ、作業性を向上させることが可能となる。
【００５３】
なお、前記実施形態では、データの更新を、病名表示欄１０で該当する病名をドラッグし、エラー内容欄１３の該当する薬剤領域でドロップすることにより行うようにしたが、次のようにしてもよい。
【００５４】
すなわち、図８に示すように、エラー内容表示欄１３に表示された病名をドラッグし、病名表示欄１０にドロップするようにしてもよい。エラー内容表示欄１３に表示された病名は、薬剤と関連付けされているため、病名表示欄１０に病名をドロップすることにより、病名表示欄１０でエラー表示されていた病名を前記薬剤と関連付けて登録する。これにより、病名表示欄１０でのエラー表示が解消され、エラー内容表示欄１３の表示が消去される。この場合、前記操作で病名と薬剤とを関連付けして登録するデータは、別途、記憶装置３に記憶させた、その患者に固有の、書換可能なデータとして登録するようにすればよい。これにより、適応症チェックの結果、ある患者Ａで発生したエラーが、他の患者Ｂで発生したエラーと同じであっても、前記患者Ａの場合にのみ、次回からエラーが発生しないように、個別に対応することができる。例えば、患者Ａ及び患者Ｂで共に発生しているエラーの原因となっている適応症が「関節リウマチ」（レセプトの関係上、これよりも細かい分類がない。）であり、その適応症の詳細が、患者Ａでは「陽性関節リウマチ」、患者Ｂでは「陰性関節リウマチ」であれば、処方された薬剤が患者Ｂには不適切であっても、患者Ａには適切なものである場合がある。そこで、患者Ａにのみ、処方された薬剤と適応症の「関節リウマチ」とを互いに関連付けて登録することにより、次回からのエラーの発生を防止することが可能となる。
【００５５】
図１０に、図８のドラッグ・アンド・ドロップによるデータの登録例を示す。ここでは、ある患者（患者ＩＤ「０００１」）のレセプト病名テーブルに、候補病名テーブルの病名Ａが追加されることにより、病名表示欄１０でのエラー表示が解消されている。これにより、次回から、この患者に限り、病名Ａに対して薬剤２を処方しても、病名表示欄１０でエラー表示されることがなくなる。
【００５６】
また、エラー内容欄１３や、そこから切り替えたカルテ参照欄１３のほか、図示しないボタンをクリック操作して薬剤マスタ１４から呼び出することにより表示させた薬剤（名）をドラッグする。そして、ドラッグした薬剤（名）を病名表示欄１０の該当する病名の上でドロップすることにより、病名と薬剤とを関連付けて薬剤マスタ１４（サブマスタ１４ｂ）に登録する。
【００５７】
このように、エラー内容表示欄１３に表示された内容を病名表示欄１０にドラッグ・アンド・ドロップすることにより、処方する薬剤と、診察結果として入力した病名とを互いに関連付けすることができる。これは、例えば、佐薬のように、主薬剤の補助として使用する薬剤を追加する場合等で有効である。
【図面の簡単な説明】
【００５８】
【図１】本実施形態に係るレセプトチェック装置のブロック図である。
【図２】図１に示すレセプトチェック装置で実行する適応症チェック処理の内容を示すフローチャート図である。
【図３】図２の適応症追加処理の内容を示すフローチャート図である。
【図４】図１の表示装置に表示される初期画面を示す図である。
【図５】図４から切り替えた適応症チェック画面を示す図である。
【図６】図５から切り替えた病名管理画面を示す図である。
【図７】図６で、薬品名をドラッグ・アンド・ドロップしている状態を示す図である。
【図８】図６で、病名をドラッグ・アンド・ドロップしている状態を示す図である。
【図９】図７のドラッグ・アンド・ドロップによるデータの登録例を示す図である。
【図１０】図８のドラッグ・アンド・ドロップによるデータの登録例を示す図である。
【符号の説明】
【００５９】
１…表示装置
２…入力装置
３…記憶装置
４…制御装置
５…印刷装置
６…ホストコンピュータ
７…病名表示部
７ａ…「病名追加」ボタン
７ｂ…「病名修正」ボタン
７ｃ…「病名削除」ボタン
８…適応症表示部
９…患者情報欄
１０…病名表示欄
１１…オプション設定部
１２…タブキー
１３…エラー内容欄
１４…薬剤マスタ
１４ａ…メインマスタ
１４ｂ…サブマスタ
１５…病名マスタ
１６…医療行為マスタ
１７…検索メニューマスタ
１８…レセプトチェック処理プログラム
１９…中央処理装置（ＣＰＵ）
２０…ＲＯＭ
２１…ＲＡＭ
２２…レセプトボタン
２３…病名管理ボタン
２４ａ…「次レセプト」ボタン
２４ｂ…「前レセプト」ボタン
２５…「閉じる」ボタン
【図１】
2008226123.tif 000003
【図２】
2008226123.tif 000004
【図３】
2008226123.tif 000005
【図９】
2008226123.tif 000006
【図１０】
2008226123.tif 000007
【図４】
2008226123.tif 000008
【図５】
2008226123.tif 000009
【図６】
2008226123.tif 000010
【図７】
2008226123.tif 000011
【図８】
2008226123.tif 000012